(57)【特許請求の範囲】
【請求項１】
採血具において血液の逆流を防止するための逆流防止構造であって、第１の端部側から第２の端部側に向かって延びかつ血液が流れる内部流路を有する筒状体と、
前記筒状体の内部流路内に収納されており、ゴム弾性を有する材料からなり、前記第１の端部に向かって開いた開口を有し、第２の端部側が閉じられた有底筒状の逆流防止部材とを備え、
前記閉じられた底の側から前記逆流防止部材が前記筒状体の内部流路に圧入されて、前記逆流防止部材の外周壁が前記内部流路の内壁に液密的に固定されており、
前記逆流防止部材の固定されている部分よりも第２の端部側において逆流防止部材に切り込みが形成されている、採血具の逆流防止構造。
【請求項２】
前記切り込みが前記逆流防止部材において少なくとも２カ所以上設けられている請求項１に記載の採血具の逆流防止構造。
【請求項３】
前記逆流防止部材に形成されている切り込みが、前記第１，第２の端部を結ぶ方向と交差する方向である、請求項１に記載の採血具の逆流防止構造。
【請求項４】
前記逆流防止部材に形成されている切り込みが、前記第１，第２の端部を結ぶ方向に対して、１５〜１６５°の角度をなすように傾斜されている方向に延ばされている、請求項３に記載の採血具の逆流防止構造。
【請求項５】
前記切り込みが、前記第１，第２の端部を結ぶ方向と直交する方向に延びている、請求項３に記載の採血具の逆流防止構造。
【請求項６】
前記逆流防止部材において、切り込みより開閉する際のヒンジとして機能する部分の肉厚が、他の部分よりも相対的に薄くされていることを特徴とする、請求項１〜５のいずれか１項に記載の採血具の逆流防止構造。
【請求項７】
採血に際し、採血管の栓体を刺通するのに用いられる中空針と、
前記中空針の一端に固定されたハブとを備えるルアー針であって、
前記ハブが、請求項１〜６のいずれか１項に記載の採血具の逆流防止構造を有し、前記中空針が前記採血具の逆流防止構造の内部流路の第２の端部側に連通されていることを特徴とするルアー針。
【請求項８】
血液を採取するための中空針と、該中空針の一端に固定されたハブとを備える採血針であって、
前記ハブが、請求項１〜６のいずれか１項に記載の採血具の逆流防止構造を有し、前記中空針が前記内部流路の第１の端部側に連通されていることを特徴とする、採血針。
【請求項９】
一端側に採血管を挿入するための開口が形成されており、他端側が閉じられている筒状のホルダー本体と、
前記ホルダー本体の他端側に設けられたハブと、
前記ハブに一端が固定されており、採血管の栓体を刺通するための中空針とを有する採血ホルダーであって、
前記ハブが、請求項１〜６のいずれか１項に記載の採血具の逆流防止構造を有し、前記中空針が前記採血具の逆流防止構造の内部流路の前記第２の端部側に連通されていることを特徴とする採血ホルダー。
【請求項１０】
前記ハブに一端が固定されており、他端がホルダー外に延ばされた採血用の中空針をさらに備え、該採血用の中空針が前記採血具の逆流防止構造の内部流路の第１の端部側に連通されている、請求項９に記載の採血ホルダー。
【発明の詳細な説明】
【技術分野】
【０００１】  本発明は、血液を採取するのに用いられる採血具の逆流防止構造に関し、より詳細には、逆流防止構造、逆流防止構造が備えられたルアー針、採血針及び採血ホルダーに関する。
【背景技術】
【０００２】  従来、真空採血法などの血液採取方法において、様々な採血針や採血ホルダーが用いられている。ところで、採血に際しては、まず、駆血帯を被採血者の腕に取り付ける。次に、採血用中空針の針先を血管内に挿入する。採血用中空針は、真空採血管の栓体を刺通する連通用中空針に連ねられている。採血用中空針と連通用中空針とを接続する構造としては、内部流路を有するハブなどの様々な構造が提案されている。【０００３】  真空採血に際しては、上記のように採血用中空針の針先を血管に挿入した後に、連通用中空針の針先により真空採血管の栓体を刺通する。それによって、採血用中空針と真空採血管内とが連通され、真空採血管内が減圧されているため、血液が血管から真空採血管に導かれる。【０００４】  真空採血管内の圧力と血管の圧力がほぼ等しくなった時点で採血が終了する。採血終了後には、連通用中空針を真空採血管から引き抜き、駆血帯を取り外す。しかしながら、誤って、先に駆血帯が取り外されると、血管内の圧力が急激に低くなるため、採血管内の血液が血管側に向かって逆流するおそれがある。また、採血管の配置されている位置が血管よりも高い場合には、位置エネルギーによっても逆流の生じるおそれがある。他方、真空採血管内には、抗凝固剤や薬剤などが収納されていることが多い。従って、逆流が生じると、薬剤や抗凝固剤が血管側に移行し、悪影響を及ぼすおそれがある。そこで、従来より逆流を防止するための様々な構造が提案されている。【０００５】  例えば、下記の特許文献１には、図１７に示す採血針１０１が開示されている。採血針１０１は、血液を採取するために血管に挿入される第１の中空針１０２と、真空採血管の栓体を刺通し、真空採血管内とを連通するための第２の中空針１０３とが備えられている。第１，第２の中空針１０２，１０３は、第１，第２の中空針１０２，１０３の基部側においてハブ１０４に固定されている。ハブ１０４内には、内部流路１０４ａが形成されている。内部流路１０４ａは、第１，第２の中空針１０２，１０３に連通している。ここでは、逆流を防止するために、柔軟性を有する樹脂などからなる逆止め弁１０５が内部流路１０４ａ内に設けられている。逆止め弁１０５では、複数の弁部材が、連通用の第２の中空針１０３側に向かうに連れて互いの距離が狭められるように配置されている。【０００６】  従って、血液が内部流路１０４ａ内において第１の中空針１０２側から第２の中空針１０３側に流れる際には、逆止め弁１０５の隙間が開き、血液が流れる。これに対し、逆方向に血液が流れようとした場合には、先端の隙間が血液の圧力により閉じられ、血液の逆流が防止される。【０００７】  他方、下記の特許文献２には、図１８に示す逆流防止構造が備えられた採血針１１１が開示されている。採血針１１１はハブ１１２を有する。ハブ１１２は、一端側において血管に挿入される採血針に連通される内部流路１１２ａが設けられている。内部流路１１２ａの他端は、真空採血管に連通される中空針１１３に連ねられている。ここでは、内部流路１１２ａにおいて、血液が中空針１１３側に流れることを可能とするが、逆方向への血液の流れを防止するために逆流防止部材１１４が設けられている。逆流防止部材１１４は、筒状の弾性体により構成されており、逆流防止部材１１４の先端には、切り込み１１４ａが設けられている。切り込み１１４ａは、図１８の下端側から見た場合、十字状の形状となるように形成されている。採血に際しては、血流により、切り込み１１４ａが開き、血液が中空針１１３側に流れる。しかしながら、血液が逆流しようとした場合には、弾性体からなる逆流防止部材１１４において十字状の切り込み１１４ａが血液の力により狭められ、逆流が防止される。【０００８】
下記の特許文献３の第４図には、弾性材料からなる弁を用いた採血部の逆流防止構造が開示されている。ここでは、弾性材料からなる弁において、採血部分の流路方向すなわち円筒状部材からなる軸方向に沿ってスリットが形成されている。逆流が生じた場合には、逆流によりスリットが閉じられるように構成されている。
【特許文献１】特開平３−１２９１１１号公報
【特許文献２】特開２００３−２６０１３２号公報
【特許文献３】特開昭５０−１２８９２号公報
【発明の開示】
【０００９】  特許文献１に記載の採血針１０１では、逆流防止弁１０５を内部流路１０４ａ内に設けることにより逆流が防止されていた。しかしながら、逆止め防止弁１０５の形状を円錐形とした場合には、血液の出口が非常に狭く、逆流は防止されるものの、血液が流れる際に溶血を引き起こすおそれがあった。また、このような逆止め弁１０５を成形により形成した場合、小型化が困難であるという問題もあった。
【００１０】  他方、特許文献２に記載の採血針１１１では、先端を十字状にカットすることにより十字状の切り込み１１４ａが形成された逆流防止部材１１４が用いられている。この場合、弾性体に十字状の切り込みを下端側から正確に切断しなければならない。そのため、加工工程が多く、年に０．５〜１０億本程度も消費される採血針に用いるのには適当ではなかった。また、採血針は使い捨て部品であるため、このような十字状の切り込みを形成した逆流防止部材１１４を用いた場合、採血針のコストが高くつかざるを得なかった。加えて、図１８に示されているように、切り込み１１４ａが形成された筒状体からなる逆流防止部材１１４は、固定部材１１５ａに連なる筒状部１１５ｂに外挿されて固定されている。従って、逆流防止部材１１４だけでなく、固定部材１１５ａは筒状部１１５ｂなどの複雑な形状の他の部材を必要とするため、それによってもコストが高くつかざるを得なかった。
【００１１】  また、特許文献３に記載のスリットが設けられた弾性材料よりなる弁を用いた構造では、逆流圧が高い場合には、スリットの両側の弁部分が逆流により内側に押し込まれ、スリットが開いてしまい、逆流を確実に防止できないことがあった。
【００１２】  本発明の目的は、上述した従来技術の欠点を解消し、採血に際しての逆流を確実に防止することができるだけでなく、溶血を引き起こすおそれが少なく、さらに加工工程の増大を招くことなく安価に提供することができる採血具の逆流防止構造を提供することにある。
【００１３】  本発明の他の目的は、上記採血具の逆流防止構造が備えられた採血具として、ルアー針、採血針及び採血ホルダーを提供することにある。
【００１４】
本発明に係る採血具は、採血具において血液の逆流を防止するための逆流防止構造であって、第１の端部側から第２の端部側に向かって延びかつ血液が流れる内部流路を有する筒状体と、前記筒状体の内部流路内に収納されており、ゴム弾性を有する材料からなり、前記第１の端部に向かって開いた開口を有し、第２の端部側が閉じられた有底筒状の逆流防止部材とを備え、前記閉じられた底の側から前記逆流防止部材が前記筒状体の内部流路に圧入されて、前記逆流防止部材の外周壁が前記内部流路の内壁に液密的に固定されており、前記逆流防止部材の固定されている部分よりも第２の端部側において逆流防止部材に切り込みが形成されていることを特徴とする。
【００１５】  本発明に係る採血具の逆流防止構造のある特定の局面では、逆流防止部材において、上記切り込みが少なくとも２カ所以上の部分に設けられる。
【００１６】  本発明に係る採血具の逆流防止構造の他の特定の局面では、前記逆流防止部材に形成されている切り込みが、前記第１，第２の端部を結ぶ方向と交差する方向である。
【００１７】  本発明に係る採血具の逆流防止構造のさらに他の特定の局面では、上記切り込みは、第１，第２の端部を結ぶ方向に対し、すなわち内部流路が延びる方向に対し１５°〜１６５°の範囲の角度をなすように傾斜されている方向に延ばされている。
【００１８】  本発明に係る採血具の逆流防止構造のより限定的な局面では、前記切り込みが、前記第１，第２の端部を結ぶ方向と直交する方向に延びている。
本発明に係る採血具の逆流防止構造のさらに他の特定の局面では、上記切り込みにより開閉する際のヒンジとして機能する部分の肉厚が他の部分に比べて相対的に薄くされている。
【００１９】  本発明に係るルアー針は、採血に際し、採血管の栓体を刺通するのに用いられる中空針と、本発明に係るルアー針は、前記中空針の一端に固定されたハブとを備えるルアー針であって、前記ハブが、本発明に従って構成された採血具の逆流防止構造を有し、前記中空針が前記採血具の逆流防止構造の内部流路の第２の端部側に連通されていることを特徴とする。
【００２０】  本発明に係る採血針は、血液を採取するための中空針と、該中空針の一端に固定されたハブとを備える採血針であって、前記ハブが、本発明に従って構成された採血具の逆流防止構造を有し、前記中空針が前記内部流路の第１の端部側に連通されていることを特徴とする。
【００２１】  本発明に係る採血ホルダーは、一端側に採血管を挿入するための開口が形成されており、他端側が閉じられている筒状のホルダー本体と、前記ホルダー本体の他端側に設けられたハブと、前記ハブに一端が固定されており、採血管の栓体を刺通するための中空針とを有する採血ホルダーであって、前記ハブが、本発明に従って構成された採血具の逆流防止構造を有し、前記中空針が前記採血具の逆流防止構造の内部流路の前記第２の端部側に連通されていることを特徴とする。
【００２２】  本発明に係る採血ホルダーのある特定の局面では、前記ハブに一端が固定されており、他端がホルダー外に延ばされた採血用の中空針をさらに備え、該採血用の中空針が前記採血具の逆流防止構造の内部流路の第１の端部側に連通されている。
【００２３】  本発明に係る採血具の逆流防止構造では、第１の端部側から第２の端部側に向かって血液が流れる内部流路を有する筒状体の該内部流路内に逆流防止部材が収納されており、この逆流防止部材は、ゴム弾性を有する材料からなり、第１の端部に向かって開いた開口を有し、第２の端部側が閉じられた有底筒状の形状を有し、逆流防止部材の外周壁が内部流路の内壁に液密的に固定されており、該逆流防止部材の固定されている部分よりも第２の端部側において逆流防止部材に切り込みが形成されている。
【００２４】  従って、内部流路内において血液が第１の端部から第２の端部に向かって流れる際には、ゴム弾性を有する材料からなる逆流防止部材の上記切り込みが血流により押されて開き、血液が流れることになる。この場合、逆流防止部材はゴム弾性を有する柔軟性を有する材料で構成されているので、上記切り込みは無理なく開き、従って溶血は生じ難い。
【００２５】  他方、第２の端部側から第１の端部側に血液が逆流しようとした場合には、血流の力により上記切り込みが閉じられることになる。この場合においても、逆流防止部材がゴム弾性を有し、柔軟性を有する材料で構成されているため血流の力により確実に切り込みが閉じられることになり、逆流を確実に防止することができる。
【００２６】  しかも、上記ゴム弾性を有する材料からなる有底筒状の逆流防止部材において切り込みを形成し、かつ内部流路内に固定するだけでよいため、加工工程や部品点数をさほど増大させることなく、安価な逆流防止構造を提供することが可能となる。
【００２７】  逆流防止部材において、切り込みが少なくとも２カ所以上に設けられている場合には、筒状体の内部流路内において逆流防止部材が傾いて固定され、少なくとも１つの切り込みが筒状体の内壁に密着し、該切り込みが開口できない場合であっても、残りの少なくとも１つの切り込みが確実に開口し、採血を行うことができる。
【００２８】  上記逆流防止部材の形成されている切り込みが、第１，第２の端部を結ぶ方向と交差する方向である場合には、逆流が生じた場合に血流の力により確実に切り込み部分が塞がれる。しかも、第１，第２の端部を結ぶ方向と交差する方向に切り込みを形成するだけで、逆流防止用の切り込みを容易に形成することができる。
【００２９】  また、上記切り込みの延びる方向が、第１，第２の端部を結ぶ方向、すなわち、内部流路における血液が流れる方向に対し１５°〜１６５°の範囲の角度をなすように傾斜されて延ばされている場合には、該部分が開口した際に、開口面積が大きくされ得る。従って、血液が開口を通して円滑に流れ、血流抵抗が小さくなる。よって、逆流防止部材を用いたとしても、採血時間の所望でない延長を抑制することができる。
【００３０】  切り込みが、第１，第２の端部を結ぶ方向と直交する方向に延びている場合には、第２の端部から第１の端部へ血液が逆流しようとした場合、逆流による力により切り込み部分がより一層確実に閉塞される。従って、逆流をより一層効果的に防止することができる。
【００３１】  前記逆流防止部材において、切り込みにより開閉する際にヒンジとして機能する部分が、逆流防止部材の他の部分に比べて肉厚が薄くされている場合には、比較的小さな圧力が加わった場合でも切り込みが確実に開口し、採血を速やかに行うことができる。また、ヒンジ部分のみを薄くすることにより、切り込みを介して対向している対向部分の面積は十分な大きさとされるので、切り込み部分が閉塞した場合に両側の部分が多少ずれて閉塞したとしても、確実に切り込みを閉塞することができる。
【００３２】  本発明に係るルアー針では、採血管の栓体を刺通するのに用いられる中空針と、中空針の一端に固定されたハブとを備えるルアー針において、ハブが本発明に従って構成された逆流防止構造を有し、上記中空針が逆流防止構造の内部流路の第２の端部側に連通されている。従って、本発明の逆流防止構造により、ルアー針における逆流を確実に防止することができるとともに、部品点数の増大をさほど招くことなく、安価に逆流防止構造が備えられたルアー針を提供することができる。
【００３３】  本発明に係る採血針では、血液を採取するために、血管や血液が収納された容器に一端が挿入される中空針と、該中空針の一端が固定されているハブとを備える構造において、ハブが本発明に従って構成された逆流防止構造を有し、中空針が内部流路の第１の端部側に連通されている。
【００３４】  従って、第２の端部側から第１の端部側に、すなわち血液の逆流が生じた場合には、血流の力により逆流防止構造に設けられた切り込みが確実に閉塞され、逆流を確実に防止することができる。しかも、本発明の逆流防止構造では、加工工程や部品点数の増大をさほど招くこともなく得られるので、上記逆流防止構造が備えられた採血針を安価に提供することができる。
【００３５】  本発明に係る採血ホルダーでは、ホルダー本体の一端側に採血管を挿入するための開口が形成されており、他端側が閉じられており、該他端側にハブが設けられており、ハブに一端が固定されており、採血管の栓体を刺通するための中空針が設けられている採血ホルダーにおいて、ハブが本発明に従って構成された逆流防止構造を有し、上記中空針が採血部の逆流防止構造の内部流路の第２の端部側に連通されている。従って、逆流防止構造により逆流を確実に防止することができ、しかも部品点数の増大をさほど招くことなく逆流を防止することができるので、安価であり、かつ安全性に優れた採血ホルダーを提供することが可能となる。
【００３６】  切り込みの形状は前述に限定されるものではない。例を添付図に示す。
これらの形状であっても、切り込みが１カ所であってもよいし、複数あってもよい。さらには軸方向に対して任意の角度で回転させてもよい。
なお、切り込みの形状、数量により切り込み量は適宜最適量に調整される。
【００３７】  本発明の採血ホルダーにおいて、上記ハブに一端が固定されており、他端がホルダー外に延ばされた採血用中空針をさらに備え、採血用中空針が上記逆流防止構造の内部流路の第１の端部側に連通されている場合には、本発明に従って、中空針と、採血管への連結用の中空針の双方が一体化された、安全性に優れた採血ホルダーを提供することが可能となる。
【図面の簡単な説明】
【００３８】［図１］図１（ａ）及び（ｂ）は、本発明の第１の実施形態に係る採血具を説明するための図であり、（ａ）は、採血ホルダーの正面図、（ｂ）は、採血ホルダーに採血針を固定する工程を説明するための正面断面図である。
［図２］図２（ａ）及び（ｂ）は、第１の実施形態で用いられる逆流防止部材の斜視図及び血液により切り込みが開いた状態を示す斜視図である。
［図３］図３は、本発明において逆流防止部材において形成される切り込みの大きさの好ましい範囲を説明するための模式的平面断面図である。
［図４］図４は、本発明の第１の実施形態の採血具を用いて採血を行う工程を説明するための正面断面図である。
［図５］図５（ａ）及び（ｂ）は、第１の実施形態において、逆流防止部材の切り込みが開いて血液が採取される状態と、逆流により切り込みが閉塞されている状態とを示す各部分切欠正面断面図である。
［図６］図６は、本発明の第２の実施形態に係る採血具を示すための縦断面図である。
［図７］図７は、本発明の第３の実施形態としての採血針を示す正面断面図である。
［図８］図８は、第３の実施形態の採血針を採血ホルダーに固定した状態を示す正面断面図である。
［図９］図９（ａ）及び（ｂ）は、本発明の第４の実施形態に係るルアー針を説明するための各模式的正面断面図である。
［図１０］図１０（ａ）及び（ｂ）は、本発明の第５の実施形態に係るルアー針を説明するための各模式的正面断面図である。
［図１１］図１１は、本発明の第６の実施形態に係るルアー針を説明するための模式的正面断面図である。
［図１２］図１２（ａ）及び（ｂ）は、図９（ａ）に示したルアー針の変形例を説明するための各部分切欠正面断面図である。
［図１３］図１３（ａ）及び（ｂ）は、図９（ａ）に示したルアー針の変形例を説明するための各部分切欠正面断面図である。
［図１４］図１４は、第３の実施形態のルアー針の好ましい寸法関係を説明するための部分切欠拡大正面断面図である。
［図１５］図１５は、実施例１〜４のルアー針を用いた逆流量の評価方法を説明するための模式的正面断面図である。
［図１６］図１６（ａ）〜（ｃ）は、本発明における逆流防止部材の切り込みの形状の変形例を示す各略図的断面図である。
［図１７］図１７は、従来の採血針の一例を示す正面断面図である。
［図１８］図１８は、従来の採血針の他の例を示す正面断面図である。
【符号の説明】
【００３９】  １…採血ホルダー
２…ホルダー本体
２ａ…開口
２ｂ…他端
３…ハブ
３ａ…内部流路
３ｂ…第１の端部
３ｃ…第２の端部
４…中空針
４ａ…針先
５…ゴム鞘
６…逆流防止部材
６ａ…肉厚部
６ｂ…本体部
６ｃ…切り込み
６ｄ…フランジ部
６ｆ…切り込み
６ｇ…フランジ部
１１…中空針
１１ａ…針先
１２…針取り付け部
３１…採血ホルダー
３１ａ…開口
３１ｂ…端面
３１ｃ…雌ねじ
３３…ハブ
３３ａ…内部流路
３３ｂ…第１の端部
３３ｃ…第２の端部
３４…中空針
４１…採血針
４３…ハブ
４３ａ…内部流路
４３ｂ…第１の端部
４３ｃ…第２の端部
４４…中空針
４４ａ…針先
４５…中空針
４５ａ…針先
５１…ルアー針
５２…ゴム鞘
５３…ルアー針
５４…ルアー針
６１…ルアー針
６２…ルアー針
【発明を実施するための最良の形態】
【００４０】  以下、図面を参照しつつ、本発明の具体的な実施形態を説明することにより、本発明を明らかにする。【００４１】  図１（ａ）及び（ｂ）は、本発明の一実施形態に係る採血具の逆流防止構造が備えられた採血ホルダーを説明するための正面図及び正面断面図である。【００４２】  図１（ａ）に示す採血ホルダー１は、円筒状のホルダー本体２を有する。ホルダー本体２は、図１（ｂ）に示されているように、一端側に開口２ａを有する。後述するように、真空採血管が開口２ａから挿入されるように開口２ａの寸法が定められている。開口２ａと反対側の他端は閉じられており、該他端側にハブ３が筒状のホルダー本体２と一体に設けられている。ハブ３は、ホルダー本体２よりも小さな径の筒状部として、ホルダー本体２の端面２ｂから外側に突出するように設けられている。ハブ３内には内部流路３ａが設けられている。すなわち、本実施形態では、ハブ３が、逆流防止構造を構成する筒状体に相当し、該筒状体内に内部流路３ａが形成されていることになる。内部流路３ａは、第１の端部３ｂから反対側の第２の端部３ｃに向かって延ばされている。内部流路３ａの第１の端面３ｂはハブ３の先端において開いている。【００４３】  内部流路３ａの第２の端部３ｃに連通するように、中空針４がハブ３に固定されている。中空針４は、先端の針先４ａがホルダー本体２内に延びるように配置されている。中空針４の周囲には、ゴム鞘５が取り付けられている。【００４４】  中空針４は、真空採血管の栓体を刺通するために設けられている。すなわち、真空採血に際し、栓体を中空針４により刺通することにより、採血管内と上記内部流路３ａ、ひいては後述する採血針及び血管とが連通されることになる。【００４５】  ゴム鞘５は、柔軟性を有するゴム材料からなり、中空針４の先端の針先４ａからの血液の外部への漏洩を防止するために設けられている。ゴム鞘５は針先４ａにより栓体を刺通する際にゴム鞘５もまた針先４ａにより刺通される。その結果、ゴム鞘５が中空針４の外周面に密着するため、血液の採血管外への漏洩を防止することができる。なお、ゴム鞘５は必ずしも設けられずともよい。【００４６】  内部流路３ａ内には、逆流防止部材６が収納されている。逆流防止部材６は、図２（ａ）に拡大して示すように、有底の筒状部材により構成されている。逆流防止部材６は、ゴム弾性を有する材料で構成されており、従って柔軟性を有する。【００４７】  本実施形態では、逆流防止部材６は、略円筒状の形状を有し、開口端近傍に肉厚部６ａを有し、肉厚部６ａの外径が大きくされている。そして、肉厚部６ａの下方に連なる本体部６ｂの径が相対的に小さくされており、該本体部６ｂに切り込み６ｃが形成されている。切り込み６ｃは、逆流防止部材６の側面を貫通するように設けられている。切り込み６ｃは、例えば、ゴム弾性を有する材料からなる逆流防止部材６にカッター等により切断するだけで容易に形成することができる。【００４８】  本実施形態では切り込み６ｃは、逆流防止部材６の長さ方向と直交する方向に延びるように形成されている。【００４９】  図１に戻り、逆流防止部材６は、開口端、すなわち肉厚部６ａ側が内部流路３ａの第１の端部３ｂ側に位置���るように収納されている。ここで、肉厚部６ａの外径は、内部流路３ａの端部側の内径よりも若干大きく、逆流防止部材６を内部流路３ａに圧入し得る程度の大きさとされている。【００５０】  逆流防止部材６は、肉厚部６ａとは反対側の閉じられている部分から、内部流路３ａに挿入され、圧入される。その結果、肉厚部６ａの外周面が内部流路３ａの内周面に液密的に密着する。従って、逆流防止部材６を、内部流路３ａに挿入するだけで、内部流路３ａ内に固定することができる。【００５１】  他方、上記切り込み６ｃは、逆流防止部材６の内部流路３ａに固定されている部分よりも、本実施形態では、上記肉厚部６ａよりも第２の端部３ｃ側に位置されている。そして、切り込み６ｃは、逆流防止部材６の長さ方向と直交する方向に形成されていたため、内部流路３ａの第１の端部３ｂと第２の端部３ｃとを結ぶ方向とも直交する方向に延びている。【００５２】  上記逆流防止部材６を構成するゴム弾性材料としては、例えば、シリコーンゴム、ブチルゴム、熱可塑性エラストマーなどの合成ゴム、あるいは天然ゴムを挙げることかできる。【００５３】  本実施形態の採血ホルダー１を用いた採血方法を説明することにより、上記逆流防止部材６が備えられた逆流防止構造の作用効果を説明する。【００５４】  採血に際しては、図１（ｂ）に示すように、採血ホルダー１のハブ３に血液を採取するための中空針１１を付ける。中空針１１は、基端側に筒状の固定部１２を有する。この固定部１２が、ハブ３に外挿されて液密的にハブ３に固定される。その結果、中空針１１の内部が内部流路３ａに第１の端部３ｂ側において連通される。【００５５】  採血に際しては、被採血者の腕に駆血帯を装着する。次に、上記中空針１１を採血ホルダー１のハブ３に固定した後、血管に中空針１１の針先１１ａを挿入する。そして、図４で示すように、採血管２１を採血ホルダー１のホルダー本体２の開口２ａから挿入する。採血管２１は、通常の真空採血管であり、有底円筒状の採血管本体２１ａと、ゴム弾性を有する栓体２１ｂとを有する。栓体２１ｂが、中空針４により刺通される。その結果、図４に示すように、内部流路３ａが採血管２１内と連通される。採血管２１内は減圧状態とされている。従って、採血管２１内の圧力と、血管内の圧力との圧力差により血液が中空針１１の内部流路３ａ側に流れる。【００５６】  逆流防止部材６は、第１の端部側に向かって開いた有底円筒状の形状を有する。そして、切り込み６ｃは導かれてきた血液の圧力により図２（ｂ）に示すように、開かれる。すなわち、図５（ａ）に示すように、矢印Ａ方向に、すなわち第１の端部３ｂ側から第２の端部３ｃ側に血液が流れてきた場合には、切り込み６ｃが開口する。従って、血液が逆流防止部材６の切り込み６ｃから下方に流れ、中空針４を経て、採血管２１内に導かれる。【００５７】  採血管２１内の圧力と血管内の圧力とが平衡に達すると、採血が終了する。従って、採血管２１を採血ホルダー１から引き抜き、採血を終了すればよい。この場合、誤って先に駆血帯を取り外し、血管内の圧力が急激に低くなり、採血管２１内に採取した血液が血管側に逆流しようとしても、逆流は逆流防止部材６により確実に防止される。【００５８】  すなわち、図５（ｂ）に示すように、逆流が生じ血液が矢印Ｂで示す方向に流れてきた場合には、逆流防止部材６の下端部分すなわち第１の端部側部分が第２の端部側に向かって押されることになる。そのため切り込み６ｃが閉じられ、血液の逆流防止部材６よりも第１の端部３ｂ側への移動が確実に防止される。【００５９】  従って、本実施形態の採血ホルダー１を用いれば、ハブ内に上記逆流防止構造が備えられているため、血液の逆流を確実に防止することができる。しかも、この逆流防止構造では、内部流路３ａ内に、ゴム弾性を有する材料からなる逆流防止部材６を配置するだけでよく、逆流防止部材６は単に矩形円筒体に切り込み６ａを形成するだけで得られるため、加工工程や部品点数の増大も招き難い。【００６０】  上記実施形態では、採血ホルダー１の本体２に一体に設けられたハブ３内に逆流防止構造が設けられていた。しかしながら、本発明の逆流防止構造は、様々な採血具に適用することができる。これを、図６〜図８を参照して説明する。【００６１】  図６に示す第２の実施形態では、筒状の採血ホルダー３１と、ルアー針３２とが組み合わされて、第１の実施形態の採血ホルダー１に相当する構造が得られる。すなわち、採血ホルダー３１は、第１の実施形態のホルダー本体２と同様の形状を有する。もっとも、開口３１ａと反対側の端面３１ｂには、採血針３２を取り付けるための針取り付け部が設けられている。針取り付け部は、外周面に雌ねじ３１ｃが形成されている貫通孔を有する。他方、ルアー針３２は、ハブ３３と、一端がハブ３３に固定された中空針３４とを有する。中空針３４は、針先３４ａとは反対側の端部において、ハブ３３に固定されている。なお、ハブ３３は、内部流路３３ａを有する。内部流路３３ａは、第１の端部３３ｂと、第２の端部３３ｃを結ぶ方向に形成されている。中空針３４の基端は、第２の端部３３ｃに連通している。そして、ハブ３３の下方においては、外周面に雄ねじ３３ｄが形成されている。この雄ねじ３３ｄは、針取り付け部に設けられた雌ねじ３１ｃにねじ込まれるように形成されている。【００６２】  他方、内部流路３３ａにおいては、第１の実施形態の内部流路３ａと同様に、逆流防止部材６が圧入されており、逆流防止部材６の肉厚部６ａが液密的に内部流路３３ａの内周面に密着している。【００６３】  本実施形態では、上記採血ホルダー３１に、中空針３４側からルアー針３２を挿入し、上記雄ねじ３３ｄを雌ねじ３１ｃにねじ込むことにより、ルアー針３２が採血ホルダー３１に固定される。その結果、図１に示した実施形態の採血ホルダー１と同様の構造が得られる。【００６４】  従って、図１（ａ）に示した中空針１１を取り付けることにより、第１の実施形態と同様にして用いることができる。すなわち、図６に示した採血具は、図１に示した採血ホルダー１を、ルアー針３２と、採血ホルダー３１とに分割した構造に相当する。【００６５】  このように、採血具の逆流防止構造は、採血管の栓体を刺通する中空針３４を有するルアー針３２に設けられてもよい。【００６６】  図７は、本発明の第３の実施形態を説明するめの正面断面図である。第３の実施形態では、採血針４１が提供される。この採血針４１は、図６に示したルアー針３２と、図１（ｂ）に示した中空針１１とを一体化した構造に相当する。【００６７】  すなわち、採血針４１は、ハブ４３を有する。このハブ４３は、内部流路４３ａを有する。内部流路４３ａは、第１の端部４３ｂと、第２の端部４３ｃとを結ぶ方向に形成されている。そして、内部流路４３ａ内に、逆流防止部材６が収納されている。逆流防止部材６は、図１に示した逆流防止部材６と同様に構成されている。従って、本実施形態では、ハブ４３内において、本発明の逆流防止構造が構成されている。【００６８】  他方、ハブ４３の一方端には、第１の中空針４４の基端が固定されている。第１の中空針４４の針先４４ａは血管に挿入される部分であり、基端が第１の端部４３ｂ側において内部流路４３ａに連通されている。他方、ハブ４３の他方端には、中空針４５の基端が固定されており、該基端は中空針４３の第２の端部４３ｃに連通している。中空針４５は、針先４５ａ側から採血管の栓体側に刺通されるように用いられる。【００６９】  従って、採血針４１は、図６に示したルアー針３２に相当する部分に、図１（ｂ）に示した採血針１１を固定し、一体化した構造に相当することがわかる。よって、図８に示すように、上記ハブ４３の下方に設けられた雌ねじ４３ｄを、採血ホルダー３１の雌ねじ３１ｃにねじ込むように用いることにより、図６に示した実施形態と同様に逆流を確実に防止することができる。【００７０】  図９（ａ）及び（ｂ）は、本発明の第４の実施形態に係るルアー針５１を示す模式的正面断面図であり、図１０（ａ）及び（ｂ）は、第４の実施形態よりも好ましい第５の実施形態に係るルアー針の各模式的正面断面図である。【００７１】  図９（ａ）及び（ｂ）に示すルアー針５１は、図６に示したルアー針３２とほぼ同様に構成されている。従って、同一部分については、同一の参照番号を付することによりその詳細な説明は省略し、図６を参照して行った説明を援用することとする。【００７２】  ルアー針５１が、ルアー針３２と大きく異なる点は、中空針３４を覆うように、ゴム鞘５２が設けられていることにある。ゴム鞘５２は、図１（ａ）に示されているゴム鞘５と同様の材料からなり、同様の目的のために設けられている。【００７３】  ルアー針５１においても、ハブ３３内に、逆流防止部材６が圧入されており、逆流防止部材６には、切り込み６ｃが設けられている。従って、ルアー針５１は、前述したルアー針３２と同様にして用いることかできる。【００７４】  もっとも、図９（ｂ）に示すように、誤って逆流防止部材６が内部流路が延びる方向に対して傾斜されて固定されることがあり得る。このような場合、傾斜方向によっては切り込み６ｃにおいて逆流防止部材が開閉する際のヒンジとして機能するように、上下に連なっているヒンジ部分６ｄを含む部分がハブ３３の内壁に当接されることがある。この場合には、圧力差により切り込み６ｃより下方の部分が図９（ｂ）に矢印に示すように移動して開口しようとしても、上記ヒンジ部６ｄを含む部分がハブ３３の内壁に当接しているため、該矢印方向への移動が規制される。そのため、切り込み６ｃにおいて圧力差が加えられたとしても開口しないおそれがある。��００７５】  このような問題を解決するには、図９（ａ）に示すように、逆流防止部材６をハブ３３内に正しい向きに固定することが望ましい。【００７６】  しかしながら、図１０（ａ）及び（ｂ）に示す第５の実施形態のルアー針６１では、逆流防止部材６が傾斜されて固定されたとしても、血液を確実に流すことができる。すなわち、ルアー針６１は、逆流防止部材６の構造を除いてはルアー針５１と同様に構成されている。従って、同一部分については同一の参照番号を付することにより、その詳細な説明は省略する。【００７７】  図１０（ａ）及び（ｂ）に示すルアー針６１の逆流防止部材６では、異なる高さ位置に複数の切り込み６ｃ，６ｆが形成されている。そして、切り込み６ｃと、切り込み６ｆとはヒンジ部が異なる部分に設けられている。本実施形態では、切り込み６ｃのヒンジ部６ｄに対し、切り込み６ｆのヒンジ部６ｇは、逆流防止部材６の軸方向中心に対して反対側の位置に設けられている。【００７８】  従って、図１０（ａ）に示すように、逆流防止部材６が傾斜されて固定され、一方の６ｃのヒンジ部６ｄがハブ３３の内壁に当接していたとしても、他方のヒンジ部６ｇはハブ３３の内壁から確実に隔てられている。よって、逆流防止部材６の上方と下方とに圧力差が生じ、血液を流す必要がある場合には、切り込み６ｃが開口されない場合でも、圧力差により、切り込み６ｆが確実に開口し、血液が速やかに流れることとなる。【００７９】  従って、第４の実施形態のルアー針６１のように、本発明に係る逆流防止部材では、好ましくは、逆流防止部材６に、複数の切り込み６ｃ，６ｆが設けられていることが望ましい。【００８０】  また、より好ましくは、上記実施形態のように、複数の切り込み６ｃ，６ｆが設けられる場合、少なくとも１つの切り込みのヒンジ部と、他の少なくとも１つの切り込みのヒンジ部とが逆流防止部材６の周方向においてことなる位置に設けられていることがより望ましい。もっとも、逆流防止部材６の周方向においてほぼ同じ位置にヒンジ部が設けられている場合であっても、複数の切り込みの高さ位置が十分異なっている場合には、一方のヒンジ部を確実にハブ内壁から分離することができる。【００８１】  よって、複数の切り込みのヒンジ部は、逆流防止部材６の周方向において必ずしも異なる位置に設けられる必要はない。【００８２】  なお、第４の実施形態では、２個の切り込み６ｃ，６ｆが設けられたが、３以上の切り込みが設けられてもよい。【００８３】  図１１は、本発明の第６の実施形態に係るルアー針を示す正面断面図である。本実施形態のルアー針６２は、ルアー針５１とほぼ同様の構造を有する。異なるところは、ルアー針６２では、逆流防止部材６の切り込み６ｃが設けられている部分より上方の固定部６ｈの上下方向寸法が長くされていることにある。すなわち、ルアー針６２では、逆流防止部材６の外周面がハブ３３の内周面と固定されている部分の長さ方向寸法Ｚが十分大きくされている。従って、ルアー針６２では、逆流防止部材６がハブ３３内に挿入され固定された場合、逆流防止部材６の向きが正しい向きになるように逆流防止部材６が固定される。すなわち、逆流防止部材６が内部流路の延びる方向に対して傾斜��難くされている。【００８４】  よって、好ましくは、第６の実施形態のルアー針６２のように、逆流防止部材６の外周面が内部流路の内周面と密着される部分の内部流路の延びる方向に沿う寸法を上記傾斜が抑制される程度以上の長さとすることが望ましい。【００８５】  上述してきた実施形態では、採血ホルダーは円筒状の形状を有していたが、角筒状などの他の筒状を有していてもよい。【００８６】  また、逆流防止部材６に形成される切り込み６ｃは、第１，第２の端部を結ぶ方向と交差する方向に延びておればよく、上記実施形態のように第１，第２の端部を結ぶ方向と直交する方向に必ずしも設けられずともよい。もっとも、逆流による切り込み６ｃの閉塞を確実なものとする上で、切り込み６ｃは内部流路の第１，第２の端部を結ぶ方向と直交する方向に設けられていることが望ましい。【００８７】  図１２（ａ）及び（ｂ）は、図９（ａ）に示したルアー針５１の変形例を示す各部分切欠正面断面図である。この変形例に係るルアー針５３では、逆流防止部材６に設けられている切り込み６ｃの延びる方向が、内部流路の延びる方向、すなわち第１，第２の端部を結ぶ方向に対し、直交する方向ではなく、６０°程度の角度で傾斜する方向に延ばされている。従って、圧力差により切り込み６ｃが開口した場合には、図１２（ｂ）に示すように、開口部分の面積が十分大きくされ得る。よって、圧力差により切り込み６ｃが開口し、血液が流れる場合、血流抵抗を十分に小さくすることが可能となる。また、逆流防止構造を採用したことによる採血時間の延長も抑制することができる。【００８８】  なお、本変形例では、第１，第２の端部を結ぶ方向、すなわち内部流路が延びる方向に対し、切り込み６ｃの延びる方向が６０°の角度をなすように傾斜されていたが、６０°に限らず、１５°〜１６５°の範囲で適宜傾斜させれば、同様に、切り込み６ｃが開口する部分の開口面積を大きくする効果が得られる。
図１３（ａ）及び（ｂ）は、上記ルアー針５１のさらに他の変形例に係るルアー針を示す各部分切欠正面断面図である。【００８９】  図１３（ａ）に示すルアー針５４では、逆流防止部材６において、切り込み６ｃがルアー針５１の場合と同様に形成されている。もっとも、切り込み６ｃが設けられている部分において、圧力差により図１３（ｂ）に示すように、切り込み６ｃ部分が開口した場合のヒンジ部６ｄの肉厚が薄くされている。すなわち、ヒンジ部６ｄとは、前述したように、切り込み６ｃが開口した場合に開口を支持する部分に相当する。【００９０】  図１３（ａ）に示すように、切り込み６ｃが内部流路の延びる方向と直交する方向に設けられている場合には、切り込み６ｃと同じ高さ位置にヒンジ部６ｄが設けられることになる。そして、このヒンジ部６ｄの肉厚が、その周囲の部分よりも相対的に薄くされているので、僅かな圧力差が生じた場合であっても、図１３（ｂ）に示すように確実に切り込み６ｃ部分において開口する。よって、弱い吸引力の採血管が接続された場合であっても、確実に採血することができる。また、ヒンジ部６ｄ部分のみを相対的に薄くすればよいため、切り込み６ｃが設けられている部分の合わせ面の面積は十分な大きさとされ得る。すなわち、ヒンジ部６ｄの肉厚を相対的に薄くし、切り込み６ｃを介して対向している部分の肉厚を相対的に厚くしておけば、切り込み６ｃによる合わせ部分の面積を十分な大きさとされる。従って、開口後に逆流防止動作により切り込み６ｃが綴じられた際に、切り込み６ｃの上方部分と下方部分の位置が多少径方向あるいは周方向にずれたとしても、確実に流路を閉塞することができる。【００９１】  また、逆流防止部材６に形成される切り込みの量、すなわち、切断により形成された切断部分の断面積の大きさは、逆流防止部材の硬度や肉厚によって調整すればよい。このような切り込み６ｃの大きさの好ましい例を図３を参照して説明する。図３は、逆流防止部材６の切り込み６ｃが形成されている部分の平面断面図であり、切断により切り込み６ｃが形成されている。図示されている高さ位置では、切り込み６ｃ以外の部分では、逆流防止部材部分は上下に連なっている。この連なっている部分６ｄを、図３において斜線のハッチングを付して示す。従って、図３において、ハッチングを付されていない部分が、切り込み６ｃを構成している。【００９２】  硬度が４０〜４５のブチルゴムからなり、肉厚が０．８ｍｍ程度の弾性材料を用いた場合を基準とすると、図３に示すように、好ましくは、切り込み６ｃの大きさは、逆流防止部材６の横断面の１／２以上の切断部分を有することが望ましい。特に、図３に示されている横断面において、内周面に接する接線Ｘに至るように切断を行って切り込み６ｃが形成されていることが望ましい。逆流防止部材６を構成する材料の硬度が大きい場合には、あるいは逆流防止部材６の肉厚が大きい場合には、切り込み６ｃの大きさが小さいと開口部分を閉じる力が大きくなり、逆流防止効果は高められる。しかしながら、流量が少なくなり、採血に時間を要することになったり、真空採血に際して圧力差により血液を吸引する力が作用し難くなり、所望とする量の血液を採取することができ���いおそれがある。逆に、硬度が小さかったり、肉厚が薄かったり、あるいは切り込み６ｃが大き過ぎる場合には、開口し易くなり、採血時間や採血量に影響を与え難いものの、逆流防止効果が小さくなったりするおそれがある。従って、上記のような観点から、逆流防止部材６の硬度、肉厚及び切り込み６ｃの大きさを調整すればよい。【００９３】  もっとも、日本国・厚生労働省告示「滅菌済み注射筒基準」によれば、例えば図９に示したルアー針５１では、図１４に拡大して示すように、逆流防止部材６の内径Ｗ１は、０．１ｍｍ以上あれば弱い吸引力の採血管においても採血を行うことができるが、より好ましくは、内径Ｗ１は０．２ｍｍ以上とすることが望ましい。内径Ｗ１が０．２ｍｍ未満では、血流抵抗が大きくなることがあり、採血時間が長くなることがある。従って、医師や臨床検査技師などの作業者の負担を軽減するためには、上記内径Ｗ１は大きい方が好ましい。【００９４】
また、上記切り込み６ｃ付近における逆流防止部材６の肉厚は０．１〜１．０ｍｍが一般的に好ましい。０．１ｍｍ未満の肉厚では、逆流防止動作の際に閉じた場合、切り込み６ｃにおける合わせ面がずれ、逆流を防止し得ないことがあり、逆に１．０ｍｍを超えると、逆流防止のために閉塞するのに必要な力が大きくなり、採血量が規定量に達する前に閉塞するおそれがある。実際には、ルアー針の外径Ｗ２を４．０ｍｍとすると、内径Ｗ３は３．０ｍｍであり、ハブ３３の内周面と逆流防止部材６との間の隙間を０．５ｍｍにしたい場合、逆流防止部材６の外径が２．０ｍｍとなる。従って、実際にも、肉厚１．０ｍｍを超える逆流防止部材６を設けることは、上記寸法関係では困難である。
【００９５】  もっとも、上記逆流防止部材６の内径が０．２ｍｍ以上であることが好ましいこと、並びに肉厚が０．１〜１．０ｍｍの範囲が好ましいことは、前述した厚生労働省告示「滅菌済み注射筒基準」に合致したルアー針が前提となるものであり、ルアー針や採血器具の寸法が異なる場合には、上記寸法が異なるものとなる。次に、様々な寸法のルアー針５１を作製した具体的な実験例につき説明する。
【実施例１】
【００９６】  日本国・厚生労働省告示「滅菌済み注射筒基準」に準拠した寸法のルアー針を作製した。すなわち、図１４におけるハブ３３の内径が２．５ｍｍであるハブに対し、全長Ｌが６．０ｍｍ、外径Ｗ４が２．０ｍｍ、内径Ｗ１が１．０ｍｍ、肉厚が０．５ｍｍの逆流防止部材６をセットした。なお、逆流防止部材６の外周面がハブ３３の内周面と密着している保持部の長さＺは２．０ｍｍ、保持部の外径は２．９ｍｍ、切り込み６ｃの長さ方向寸法は１．５ｍｍとした。なお、逆流防止部材６は、天然ゴムから作製し、切り込み６ｃの延びる方向は第１，第２の端部を結ぶ方向と直交する方向とした。
【実施例２】
【００９７】  逆流防止部材の切り込み６ｃが設けられている部分の外径Ｗ４を１．８ｍｍ、内径Ｗ１を１．２ｍｍ、肉厚を０．３ｍｍとしたことを除いては、実施例１と同様とした。
【実施例３】
【００９８】  逆流防止部材６の切り込み６ｃが設けられている部分の外径Ｗ４を１．８ｍｍ、内径Ｗ１を１．２ｍｍ、肉厚を０．３ｍｍとしたこと、並びに切り込み６ｃを内部流路の延びる方向である第１，第２の端部を結ぶ方向に対し４５°の角度をなすように傾斜させたことを除いては実施例１と同様とした。
【実施例４】
【００９９】  逆流防止部材６の外径Ｗ４を１．８ｍｍ、内径Ｗ１を１．２ｍｍ、肉厚を０．３ｍｍとしたこと、並びに異なる高さ位置に水平方向に延びる、すなわち内部流路の延びる方向に直交する方向に延びる２つの切り込みを形成したことを除いては、実施例１と同様とした。【０１００】（比較例）
逆流防止部材が挿入されていないことを除いては実施例１と同様のハブを有するルアー針を用意した。【０１０１】  上記実施例１〜４及び比較例のルアー針について、逆流量及び吸水量を以下の要領で評価した。結果を下記の表１に示す。【０１０２】  逆流量：図１５に示すように、採血管７１内に水７２を満たし、１００ｍｍＨｇの圧力を採血管７１内に加え、該採血管７１の栓体７３にルアー針５１の中空針を突き刺し、６０秒放置した。この場合、採血管７１は図示のように上下逆転されており、６０秒間放置した際のルアー針５１の下方に漏れでた水の量を逆流量として測定した。【０１０３】  給水量：内容量７ｃｃの試験管に減圧下でゴム栓を用いて密封し、真空採血間を作製した。採血ホルダーに上記ルアー針を取り付けた。ビューレットを水で満たし、ビューレットのタブを開き、ばねクリップを通したビューレット内の水をビューレットに接続されたシリコーンチューブに流し、ビューレットの目盛りが０の位置でクリップし水の流を停止させた。【０１０４】  ルアー針がホルダーに取り付けられた採血ホルダーの外側の中空針をシリコーンチューブに突き刺し、針先をシリコーンチューブ内に位置させた。そして、採血ホルダーの逆の中空針側に前述した採血管を挿入し、圧力差により吸水を開始した。採血管内が水により満たされた後、少なくとも一分間放置した。しかる後、ビューレットの最も高い水面と、±０．１ｍＬの正確差で採血管の液面の高さとを合わせ、吸引量を求めた。【０１０５】
0003896152.tif 000002
【０１０６】  表１から明らかなように、実施例１〜４では、比較例に比べて、逆流を確実に防止することが可能であることがわかる。また、吸水量についても、比較例を１００％とした場合、９５〜９７．５重量％であり、逆流防止部材６の挿入による吸水量の減少も認められないことがわかる。【０１０７】  なお、上述してきた実施例では、逆流防止部材６に、直線状の切り込みが設けられて、本発明において、逆流防止部材に設けられる切り込みの形状及び数は適宜変更され得る。そのような変形例を図１６（ａ）〜（ｃ）に例示的に示す。すなわち、図１６（ａ）〜（ｃ）に示す逆流防止部材６では、１以上の切り込み６ｃが、曲線状、あるいは異なる方向に延びる直線を連結した形状など様々な形状とされている。このように、本発明において、逆流防止部材に形成される切り込みの形状及び数は特に限定されるものではないことを指摘しておく。
【図１】
0003896152.tif 000003
【図２】
0003896152.tif 000004
【図３】
0003896152.tif 000005
【図４】
0003896152.tif 000006
【図５】
0003896152.tif 000007
【図６】
0003896152.tif 000008
【図７】
0003896152.tif 000009
【図８】
0003896152.tif 000010
【図９】
0003896152.tif 000011
【図１０】
0003896152.tif 000012
【図１１】
0003896152.tif 000013
【図１２】
0003896152.tif 000014
【図１３】
0003896152.tif 000015
【図１４】
0003896152.tif 000016
【図１５】
0003896152.tif 000017
【図１６】
0003896152.tif 000018
【図１７】
0003896152.tif 000019
【図１８】
0003896152.tif 000020